(57)【要約】【課題】  注入ノズルを注入口に挿入してオイル等の液体を注入するにあたり、注入ノズルを引き抜いた後、注入ノズルの内部や外部に付着する液体が滴下するのを無駄なく効果的に回収し、作業環境を悪化させないようにする。【解決手段】  エンジンＥの注入口Ｔからオイルを注入する装置において、注入ノズル５の下方に受け皿１４を設け、この受け皿１４をガイドロッド１３に沿って前後にスライド自在にするとともに、スプリング１５で前方に付勢する。【選択図】      図１
2005324809.tif 000002
【特許請求の範囲】
【請求項１】
注入ノズルを注入口に挿入して液体を注入した後、注入ノズルを注入口から引き抜く際、注入ノズルから滴下する液体を回収する回収機構を備えた液体注入装置であって、前記回収機構は、前記注入ノズルの下方に配設される受け皿と、この受け皿内の液体を吸引する吸引手段を備え、前記受け皿を、前後方向にスライド自在にするとともに、スプリングによって常時前方に付勢することを特徴とする液体注入装置。
【発明の詳細な説明】
【技術分野】
【０００１】
本発明は、例えばエンジン用オイルやブレーキオイルやガソリン等の液体を注入する際、液垂れを回収する回収機構付きの液体注入装置に関する。
【背景技術】
【０００２】
従来、例えばエンジン用オイルやブレーキオイルやガソリン等の液体を注入する際、注入口に注入ノズルを挿入して行うのが一般的であり、このような液体注入作業においては、液体充填後、注入ノズルを引き抜く際、注入の際にノズル内部に付着する液体が滴下し、床面や車体の塗装面を汚したり、作業環境を悪化させたりする等の不具合があるため、例えば、ガソリンの注入ノズル内に吸入パイプを配設し、注入ノズルからガソリンを注入した後、ノズルの吐出口に残留するガソリンを吸入パイプの吸入口から吸引するような技術（例えば、特許文献１参照。）や、ノズルからブレーキオイルを注入した後、ノズル先端のニードル弁で開口を閉じ、減圧手段によってノズルに付着する飛散オイルを吸引通路内に吸引するような技術（例えば、特許文献２参照。）などが知られている。
【０００３】
【特許文献１】特開平１０−２１８２９８号公報
【特許文献２】特開平０９−１８３４９９号公報
【発明の開示】
【発明が解決しようとする課題】
【０００４】
ところが、上記のような技術はいずれも注入が終えた後、注入ノズルの内部またはその周辺に付着する液体を吸引するようにしているため、例えば液体注入時、ノズルの先端部が液面に漬かり、ノズルの引き抜きに伴って、ノズルの外面に付着する液体が床面等に滴下するのを防止することができなかった。このため、例えばエンジンオイルの注入作業においては、一日に床面に滴下するオイル量が１００ｃｃ程度もなり、無駄になるとともに、清掃等の手間がかかるという問題があった。
【０００５】
そこで本発明は、注入ノズルを注入口に挿入してオイルやガソリン等の液体を注入するにあたり、注入ノズルを引き抜いた後、注入ノズルの内部に付着する液体のみならず、注入ノズルの外面に付着する液体が滴下するのも効果的に回収し、床面等を汚さないようにすることを目的とする。
【課題を解決するための手段】
【０００６】
上記目的を達成するため本発明は、注入ノズルを注入口に挿入して液体を注入した後、注入ノズルを注入口から引き抜く際、注入ノズルから滴下する液体を回収する回収機構を備えた液体注入装置において、前記回収機構として、前記注入ノズルの下方に配設される受け皿と、この受け皿内の液体を吸引する吸引手段を設け、前記受け皿を、前後方向にスライド自在にするとともに、スプリングによって常時前方に付勢するようにした。
【０００７】
このように、注入ノズルの下方に受け皿を設け、この受け皿に溜まった液体を吸引手段によって吸引回収するようにすれば、注入ノズルの内部のみならず外面に付着する液体が滴下する場合でも、確実に回収することができる。
また、受け皿を前後方向にスライド自在にし、スプリングで常時前方に付勢することで、例えば注入ノズルを注入口に挿入する際、受け皿が注入口周辺の部材等に干渉する場合でも、受け皿を後退させて注入ノズルを挿入することができ、また、注入ノズルを引き抜く際、受け皿を自動的に前進復帰させることができる。このため、注入ノズルを引き抜いた直後にノズル先端部から滴下する液体でも確実に捕捉することができる。
【発明の効果】
【０００８】
液体回収機構を備えた液体注入装置において、注入ノズルの下方に受け皿を配設し、この受け皿内の液体を吸引手段によって吸引できるようにするとともに、受け皿を前後方向にスライド自在にし、またスプリングによって常時前方に付勢することで、注入ノズルの内部のみならず、外面に付着する液体が滴下する場合でも、確実に回収することができる。
【発明を実施するための最良の形態】
【０００９】
本発明の実施の形態について添付した図面に基づき説明する。ここで図１は本発明に係る液体注入装置の構成概要図、図２は同装置の作用図である。
【００１０】
本発明に係る液体注入装置は、例えば汎用エンジン組立ラインにおいて、オイル注入口に注入ノズルを挿入してエンジンオイルを注入した後、油面に漬かっていた注入ノズルを引き抜いた際、注入ノズルの内部や外面に付着するオイルが滴下するのを効果的に回収し、床面等を汚すような不具合を防止できるようなオイル注入装置として構成されている。
【００１１】
すなわち、このオイル注入装置１は、図１に示すように、オイル供給部からオイルを供給するための供給ホース２と、この供給ホース２の先端部に接続される支持プレート３と、この支持プレート３に支持され且つ前記供給ホース２に連通する吐出制御部４と、この吐出制御部４に接続される注入ノズル５を備え、前記供給ホース２の途中には、流路を開閉制御するためのバルブ６と、オイルの流通を確認するための確認窓７が設けられるとともに、前記吐出制御部４には、内蔵するピストン等を駆動するためのエアホース８が接続されている。
【００１２】
また、支持プレート３の側方には、作業者が握って操作するためのハンドル１０と、オイルを注入するための注入スイッチ１１が設けられており、ハンドル１０を握った作業者が注入スイッチ１１を操作すると、吐出制御部４に内蔵されるピストン等が作動して、ノズル５先端部からオイルを吐出するようにされている。
【００１３】
以上のような注入機構は、オイル注入用として一般的な機構であるが、本発明では、注入ノズル５の下方に、受け皿１４を設けている。
【００１４】
すなわち、前記支持プレート３の前面のうち、吐出制御部４の下方の位置には、前方に張出すガイドロッド１３が注入ノズル５と平行に突設されており、このガイドロッド１３に受け皿１４がスライド自在に挿通している。そして、ガイドロッド１３の周囲のうち、支持プレート３と受け皿１４との間には、スプリング１５が介装されており、受け皿１４を常時前方に付勢するとともに、ガイドロッド１３の先端には、抜け止め防止用のストッパ部１３ｓ（図２（ｂ））が設けられている。
そして、受け皿１４が一番前進した状態で、注入ノズル５の先端部から滴下するオイルを受けることができるようにされるとともに、受け皿１４の形状は、滴下するオイルを受けて溜めることができるような皿型形状にされている。
【００１５】
また、この受け皿１４には、溜めたオイルを回収する回収機構１２が接続されている。この回収機構１２は、受け皿１４の下面に接続される吸引ホース１６と、吸引手段の一部である吸入部１７と不図示の吸引機を備えており、この吸入部１７は、例えばベンチュリー効果により、吸引ホース１６内の負圧を高めて吸引効果を高めるようにされるとともに、吸引したオイルをオイルタンク１８に戻すようにされている。
【００１６】
以上のようなオイル注入装置１の作用等について説明する。
エンジンＥのオイル注入口Ｔからオイルを注入する際、図２（ａ）に示すように、注入ノズル５を注入口Ｔに近接させ、（ｂ）に示すように、注入口Ｔに注入ノズル５を挿入する。この際、受け皿１４はエンジンＥの外壁に当接し、注入ノズル５を挿入するに連れて、スプリング１５を縮めながら後退する。
【００１７】
注入ノズル５の挿入が終えると、作業者は注入スイッチ１１を操作してオイルの注入を開始し、オイルの注入が完了すると、（ｃ）に示すように注入ノズル５を注入口Ｔから引き抜く。すると、注入ノズル５の引き抜きに連れて、受け皿１４はスプリング１５の力で前進し、最終的には、注入ノズル５の先端部から滴下するオイルをも受けるようになる。
そして、受け皿１４に溜まったオイルは、吸引機によって吸引ホース１６を通してオイルタンク１８に戻される。
因みに、この吸引機構１２の作動は、オイル注入の段階から常時行うようにしているが、作動スイッチ等を設けて必要な時にだけ作動させるようにしても良い。
【００１８】
以上のような要領により、注入ノズル５からオイルを注入した後、注入ノズル５の内部のみならず外面に付着するオイルをも完全に回収することができ、無駄を防止できるとともに、作業環境の悪化を招かない。
【００１９】
なお、本発明は以上のような実施形態に限定されるものではない。本発明の特許請求の範囲に記載した事項と実質的に同一の構成を有し、同一の作用効果を奏するものは本発明の技術的範囲に属する。
例えば液体はオイルに限定されるものではなく、また、吸入部１７の構成等は例示である。
【産業上の利用可能性】
【００２０】
液体を注入する装置において、注入ノズルから液体を注入した後、注入ノズルから滴下する液体を回収機構により効果的に回収できるため、無駄が無くなるともに、床面等を汚すことがなく、作業環境を悪化させない。
【図面の簡単な説明】
【００２１】
【図１】図１は本発明に係る液体注入装置の構成概要図
【図２】同装置の作用図
【符号の説明】
【００２２】
１…オイル注入装置、５…注入ノズル、１２…回収機構、１４…受け皿、１５…スプリング、Ｔ…オイル注入口。
【図１】
2005324809.tif 000003
【図２】
2005324809.tif 000004